(57)【要約】【課題】画像データが記録媒体に最初に格納されたグループと最近格納されたグループの再生がすばやくでき、また、最近格納されたグループの再生リスト作成メモリを少なくし、その作成時間を短縮するとともに、その更新が容易にできるようにする。【解決手段】電子カメラは、最も大きいコマ番号からコマ番号が減少する方向へ１００コマ分内に存する画像データのグループを再生リストＢとして作成する処理と、新規の画像データが着脱メモリ９に追加記録された際に、当該追記された画像データに対応するコマ番号の画像情報を再生リストＢに追加する処理と、再生リストＢに新規の画像情報が追加された場合に、追加された数の分だけ当該再生リストＢ内に存する古い画像情報を削除する処理等とを行うシスコン５などを有する。【選択図】図１
2005318351.tif 000002
【特許請求の範囲】
【請求項１】
コマ番号が付与された画像データを記録媒体から読み出して再生表示する画像記録装置において、
最も大きいコマ番号を含み当該コマ番号が減少する所定範囲内に存在する画像データのグループを第２の再生リストとして作成する再生リスト作成手段と、
新規の画像データが上記記録媒体に追加記録された際に、当該追記された画像データに対応するコマ番号をリストとして上記再生リストに追加するリスト追加手段と、
上記再生リストに新規のリストが追加された場合に、追加された数の分だけ当該再生リスト内に存在する古いリストを削除するリスト削除手段と、
を具備したことを特徴とする画像記録装置。
【請求項２】
上記再生リスト作成手段は、更に、コマ番号「１」を含み当該コマ番号が増加する所定範囲内に存在する画像データのグループを固定された第１の再生リストとして作成する、
ことを特徴とする請求項１記載の画像記録装置。
【請求項３】
上記再生リストは、電源ＯＮ時または前記記録媒体の交換時、に作成される、
ことを特徴とする請求項１記載の画像記録装置。
【請求項４】
上記再生リストは、上記画像記録装置が起動中は少なくとも上記記録媒体に記録保持されている、
ことを特徴とする請求項１記載の画像記録装置。
【請求項５】
上記記録媒体は、電源がオフしても消えない記録媒体であって、上記再生リストは、当該記録媒体に記録保持される、
ことを特徴とする請求項１記載の画像記録装置。
【請求項６】
上記画像記録装置は、画像データを記録する記録媒体とは別の記録媒体を更に有し、上記再生リストは、当該別の記録媒体に記録されている、
ことを特徴とする請求項４又は５記載の画像記録装置。
【請求項７】
上記画像記録装置は撮像装置であって、前記新規の画像データは当該撮像装置で撮像された撮像データである、
ことを特徴とする請求項１記載の画像記録装置。
【請求項８】
前記新規の画像データは、外部の装置から入力された画像データである、
ことを特徴とする請求項１記載の画像記録装置。
【発明の詳細な説明】
【技術分野】
【０００１】
本発明は、コマ番号が付与された画像データを記録媒体から読み出して再生表示する画像記録装置に関する。
【背景技術】
【０００２】
近年、多くの電子カメラは、撮影で記録媒体に記録した画像ファイルを必要に応じて再生し画像表示する画像表示機能を有している。
このような電子カメラにおいて、撮影により得られた画像ファイルは、一般に、ＤＣＦ（ Design rule for Camera File system ）等の一定のフォーマットに準拠した、例えば図６に示すような階層に従って着脱可能なメモリカード等の記録媒体に記録される。
【０００３】
図７は、そのようにして画像ファイルが記録されたメモリカードのデータ構造の一例を示す図である。但し、同図に示すメモリカードは、ＦＡＴ（ File Allocation Tables ）ファイルシステムにより管理されているものを示している。同図に示すように、このメモリカード上には、ディレクトリの情報として、そのディレクトリの１階層下位のディレクトリの情報又は画像ファイルが記録されている領域の先頭クラスタ番号が記録されたディレクトリ領域と、画像ファイルそのものが記録された画像ファイル領域とが設けられており、ルートディレクトリ領域から順に、その先頭クラスタ番号を辿っていくことにより、所望の画像ファイルにアクセスすることができるようになっている。例えば、ルートディレクトリ領域から順に、先頭クラスタ番号”３”の”ＤＣＩＭ”ディレクトリ領域、先頭クラスタ番号”１０”の”１００ＯＬＹＭＰ”ディレクトリ領域を辿ることで、先頭クラスタ番号”５０”の”ＡＡＡＡ０００１．ｊｐｇ”ファイルにアクセスすることができるようになっている。
【０００４】
しかしながら、このような、ルートディレクトリ領域から順に先頭クラスタ番号を辿っていく手法では、メモリカードに記録される画像ファイルやディレクトリの数が膨大になってくると、所望の画像ファイルにアクセスするまでの所要時間が長くなってしまう。従って、画像ファイルを再生する場合には、所望の画像ファイルを読み出すまでに時間がかかり、画像再生指示に応じたスムーズな画像再生ができない。
【０００５】
特に、近年においては、電子カメラの普及に伴い着脱可能なメモリカード等の記録媒体も、より大容量のものが普及しつつあり、また電子カメラは誰もが手軽に撮影を行うこともできることから、１つの記録媒体に記録される画像ファイルの数は、ますます増大の傾向にある。このような事情からも、画像ファイルにアクセスするまでの所要時間に係る問題は、より大きな問題となってきた。
【０００６】
一方で、特許文献１には、次のようなファイル管理装置が提案されている。この装置では、動画ファイル逆再生処理を行うべく、当該動画ファイルを複数の分割ファイルに分割し、当該分割した複数の分割ファイルの再生順序を登録した分割ファイル制御ファイルを作成する。そして、動画ファイル逆再生を行う場合には、作成された分割ファイル制御ファイルに基づいて、上記複数の分割ファイルから順次データを読込んで逆再生処理する。これにより、データの読込みに時間を要さずにスムーズな逆再生を行うことができるものである。
【特許文献１】特開平６−７５８３３号公報
【発明の開示】
【発明が解決しようとする課題】
【０００７】
この特許文献１には、再生する画像を複数のグループに分け、その再生順序を登録した分割ファイルを作成し、データの読込みに時間を要さずにスムーズな再生を行うことが記載されている。しかしながら、上記従来技術では、予め存在する画像ファイルの再生順序を制御する制御リストを作成することが記載されているのみで、どのような制御リストを作成するかについてはなんら記載されていない。
【０００８】
また、制御ファイルを作成する場合についても、分割処理した多くのファイルすべてについての制御ファイルを作成しなければならず、時間とメモリを消費してしまう。
本発明は、上記実情に鑑み、画像データが記録媒体に最初に格納されたグループと最近格納されたグループの再生がすばやくできる装置を提供することを目的とする。また、最近格納されたグループの再生リスト作成メモリを少なくし、その作成時間を短縮するとともに、その更新が容易にできる装置を提供することを目的とする。
【課題を解決するための手段】
【０００９】
上記目的を達成するため、本発明の第１の態様に係る画像記録装置は、コマ番号が付与された画像データを記録媒体から読み出して再生表示する画像記録装置において、最も大きいコマ番号を含み当該コマ番号が減少する所定範囲内に存在する画像データのグループを第２の再生リストとして作成する再生リスト作成手段と、新規の画像データが上記記録媒体に追加記録された際に、当該追記された画像データに対応するコマ番号をリストとして上記再生リストに追加するリスト追加手段と、上記再生リストに新規のリストが追加された場合に、追加された数の分だけ当該再生リスト内に存在する古いリストを削除するリスト削除手段と、を具備した構成である。
【００１０】
本構成によれば、コマ番号が付与された画像データを記録媒体から読み出して再生表示する画像記録装置において、再生リスト作成手段により、最も大きいコマ番号を含み当該コマ番号が減少する所定範囲内に存在する画像データのグループが第２の再生リストとして作成され、新規の画像データが上記記録媒体に追加記録された際に、リスト追加手段により、当該追記された画像データに対応するコマ番号がリストとして上記再生リストに追加され、上記再生リストに新規のリストが追加された場合に、リスト削除手段により、追加された数の分だけ当該再生リスト内に存在する古いリストが削除される。
【００１１】
本発明の第２の態様に係る画像記録装置は、上記第１の態様において、上記再生リスト作成手段は、更に、コマ番号「１」を含み当該コマ番号が増加する所定範囲内に存在する画像データのグループを固定された第１の再生リストとして作成する、構成である。
本構成によれば、再生リスト作成手段により、更に、コマ番号「１」を含み当該コマ番号が増加する所定範囲内に存在する画像データのグループが固定された第１の再生リストとして作成される。
【００１２】
本発明の第３の態様に係る画像記録装置は、上記第１の態様において、上記再生リストは、電源ＯＮ時または前記記録媒体の交換時、に作成される、構成である。
本発明の第４の態様に係る画像記録装置は、上記第１の態様において、上記再生リストは、上記画像記録装置が起動中は少なくとも上記記録媒体に記録保持されている、構成である。
【００１３】
本発明の第５の態様に係る画像記録装置は、上記第１の態様において、上記記録媒体は、電源がオフしても消えない記録媒体であって、上記再生リストは、当該記録媒体に記録保持される、構成である。
本発明の第６の態様に係る画像記録装置は、上記第４又は５の態様において、上記画像記録装置は、画像データを記録する記録媒体とは別の記録媒体を更に有し、上記再生リストは、当該別の記録媒体に記録されている、構成である。
【００１４】
本発明の第７の態様に係る画像記録装置は、上記第１の態様において、上記画像記録装置は撮像装置であって、前記新規の画像データは当該撮像装置で撮像された撮像データである、構成である。
本発明の第８の態様に係る画像記録装置は、上記第１の態様において、前記新規の画像データは、外部の装置から入力された画像データである、構成である。
【発明の効果】
【００１５】
本発明によれば、画像データが追加するごとにその画像データのリストを追加するとともに、追加分のリストを削除するようにしたので、常に、最新の画像データに関するグループの画像データのリストを作成することができる。
【発明を実施するための最良の形態】
【００１６】
以下、本発明の実施例を図面を参照しながら説明する。
図１は、本発明の一実施例に係る画像記録装置が適用された電子カメラの主要構成を示す図である。
尚、この電子カメラは、ＤＣＦに準拠するものとし、ここでは、前述の図６に示した階層に従って記録媒体に画像ファイルを記録するものとする。また、ファイルシステムとしては、ＦＡＴファイルシステムを採用するものとする。
【００１７】
図１に示す電子カメラにおいて、撮影レンズ系１によって結像された被写体像は、撮像素子２により電気信号に光電変換され、更に撮像回路３により所定の撮像処理が施された後、Ａ／Ｄ部４によりＡ／Ｄ変換される。そして、このようにして得られた画像データは、システムコントローラ（以下単に「シスコン」という）５により所定の画像処理が施された後、画像処理部６により所定の圧縮処理が施され、Ｉ／Ｆ７を介してカードスロット８に装着された着脱メモリ９に画像ファイルとして記録される。尚、着脱メモリ９は、当該電子カメラの電源がＯＦＦされても記録内容が消えない記録媒体である。
【００１８】
一方、カードスロット８に装着されている着脱メモリ９に記録された画像ファイルは、画像再生指示に応じてＩ／Ｆ７を介して読み出され、画像処理部６により所定の伸長処理が施された後、シスコン５により所定の画像処理が施され、ＶＲＡＭ１０に格納される。そして、ＬＣＤドライバ１１によって読み出され内蔵ＬＣＤ１２にその画像が表示される。
【００１９】
また、内蔵ＲＡＭであるＤＲＡＭ１３は、Ａ／Ｄ部４によりＡ／Ｄ変換された画像データの一時記憶用として、また画像処理部６による処理中の画像データの一時記憶用として、更にシスコン５による制御処理の実行のためのワークエリアとして使用されるメモリであり、シスコン５によって作成される後述の再生リストもこれに記憶される。
【００２０】
シスコン５は、ＣＰＵ（中央演算処理装置）を備えて構成され、内蔵ＲＯＭ１４に記憶されているカメラプログラムを読み出し実行することによって、当該電子カメラ全体の動作を制御するものであり、例えば後述の再生リストの作成・追加・削除を行う。
操作部１５は、撮影指示を行うためのレリーズボタン，再生画像のコマ送り指示等を行うための十字ボタン，電源のＯＮ／ＯＦＦを行うための電源ボタン，撮影モードや再生モード等の各種モードを切り換えるためのモード切換えスイッチ等、ユーザにより操作される各種ボタンやスイッチ等により構成され、ユーザからの各種指示を受け付けシスコン５へ通知するものである。
【００２１】
次に、ＤＲＡＭ１３に記憶される再生リストについて説明する。
再生リストは、シスコン５により作成・追加・削除されるものであり、着脱メモリ９に記録されている特定数の画像ファイル（画像データ）のそれぞれについて、画像ファイルの着脱メモリ９への格納順位であるコマ番号と、画像ファイルのファイル名と、画像ファイルが記録されている着脱メモリ９上の領域の先頭クラスタ番号との対応関係を示したものである。
【００２２】
そして、画像を再生するときには、この再生リストを参照して再生対象とするコマ番号の画像ファイルの先頭クラスタ番号を取得し、着脱メモリ９上のその先頭クラスタ番号から始まる領域に直接アクセスして画像ファイルを読み出し再生することにより、画像ファイルにアクセスするまでの所要時間を短縮し、再生指示に応じたスムーズな再生を行うことが可能になっている。
【００２３】
図２は、ＤＲＡＭ１３に記憶される再生リストの一例を示す図である。
同図に示すように、再生リスト１６には、着脱メモリ９に記録されている特定数の画像ファイルのそれぞれについて、コマ番号とファイル名と先頭クラスタ番号との対応関係が示されている。そして、例えば、コマ番号１の画像ファイルを再生する場合には、まず、この再生リスト１６を参照して対応するクラスタ番号”５０”を取得し、着脱メモリ９上のクラスタ番号５０の領域に直接アクセスして、”ＡＡＡＡ０００１．ＪＰＧ”ファイルを読み出し、その画像を再生するものである。
【００２４】
尚、以下においては、各々対応するコマ番号とファイル名と先頭クラスタ番号とを、そのコマ番号の画像情報、或いはその画像ファイルの画像情報とも言う。例えば、図２の例においては、各々対応するコマ番号１とファイル名”ＡＡＡＡ０００１．ｊｐｇ”と先頭クラスタ番号５０とを、コマ番号１の画像情報、或いは画像ファイル”ＡＡＡＡ０００１．ｊｐｇ”の画像情報とも言う。
【００２５】
また、本実施例において、コマ番号は再生順序に対応するものとする。
次に、この電子カメラの動作として、当該電子カメラの電源がＯＮされた時、或いは電源がＯＮされている時に着脱メモリ９が交換された時に行われる動作について説明する。尚、本実施例に係る電子カメラにおいては、電源がＯＮされた時、或いは電源がＯＮされている時に着脱メモリ９が交換された時には、モードが撮影モードに設定されるものとする。
【００２６】
図３(a)、図４(a),(b)、図５は、本動作の一例に係るフローチャート、図３(b) は、本動作で作成・追加・削除される再生リストのイメージ図である。
まず、図３(b) を用いて、本動作で使用される再生リストＡ、Ｂ、Ｃを説明する。
同図(b) に示すように、本動作において、再生リストＡとは、着脱メモリ９に記録されている画像ファイル（画像データ）の総数をＮ（但しＮ≧５００）とし、そのＮ個の画像ファイルにコマ番号が付与されたときの、コマ番号１から後方へ１００コマ分の画像情報を有する再生リストであり、再生リストＢとは、そのときのコマ番号Ｎから前方へ１００コマ分の画像情報を有する再生リストである。また、再生リストＣとは、そのときの再生リストＡ及び再生リストＢに含まれるコマ番号以外のコマ番号であって連続する所定数コマ分の画像情報を有する再生リストである。また、本動作において、前方とはコマ番号が減少する方向を示し、後方とはコマ番号が増加する方向を示す。
【００２７】
続いて、図３(a)、図４(a),(b)、図５を用いて、本動作を詳細に説明する。
本動作が開始すると、図３(a) に示したように、まず、コマ番号１から後方へ１００コマ分の画像情報を有する再生リストＡとコマ番号Ｎから前方へ１００コマ分の画像情報を有する再生リストＢとを作成し（Ｓ１）、両再生リストを内蔵ＲＡＭ１３に記憶する。
【００２８】
続いて、ユーザからの指示入力待ちを行い（Ｓ２）、ここで、レリーズボタンの押下を検出したときには、撮影処理を行い（Ｓ３）、これにより得た画像データを画像ファイルとして着脱メモリ９に記録する（Ｓ４）。そして、Ｓ４で記録した画像ファイルの画像情報を、再生リストＢの最後方のコマ番号の後方に続くコマ番号の画像情報として追加し（Ｓ５）、再生リストＢの最前方のコマ番号の画像情報を削除する（Ｓ６）。すなわち、Ｓ５乃至６では、同図(a) の点線枠内に示したように、Ｓ４で記録した画像ファイルの画像情報が再生リストＢの最後尾に追加され、再生リストＢの先頭（最前方）の画像情報が削除される。
【００２９】
そして、Ｓ６の処理が終了すると、Ｓ２へ戻る。
一方、Ｓ２において、モード切換えスイッチによる再生モードへの切り換えを検出したときには、モードが再生モードへ移行し（Ｓ７）、最後に着脱メモリ９に記録された画像ファイルのコマ番号であるＮを再生コマ番号となるＸに設定する（Ｓ８）。
【００３０】
続いて、内蔵ＲＡＭ１３に記憶された再生リストから、コマ番号Ｘのクラスタ番号を取得し（Ｓ９）、対応する画像ファイルを着脱メモリ９から読み出し、内蔵ＬＣＤ１２にその画像を表示する（Ｓ１０）。
続いて、コマ番号Ｘが再生リストＡ内に含まれるか否かを判定し（Ｓ１１）、その判定結果がＹｅｓの場合にはＳ１２へ進み、Ｎｏの場合にはＳ１６へ進む。
【００３１】
このＳ１１の判定において、その判定結果がＹｅｓの場合には、続いて、コマ番号Ｘが、再生リストＡ内の最後方のコマ番号から前方へ５０コマ分の中に含まれるか否かを判定し（Ｓ１２）、その判定結果がＹｅｓの場合にはＳ１３へ進み、Ｎｏの場合にはＳ３７へ進む。
【００３２】
このＳ１２の判定において、その判定結果がＹｅｓの場合には、続いて、再生リストＡ内の最後方のコマ番号と再生リストＣ内の最前方のコマ番号とが隣接（連続）しているか否かを判定し（Ｓ１３）、その判定結果がＹｅｓの場合にはＳ３７へ進み、Ｎｏの場合にはＳ１４へ進む。尚、Ｓ１３の判定において、当該判定時に再生リストＣが存在していなければ、Ｓ１３の判定結果はＮｏとなる。
【００３３】
このＳ１３の判定において、その判定結果がＮｏの場合には、再生リストＣに含まれる要素（画像情報）を全て削除し（Ｓ１４）、Ｓ１５へ進む。但し、Ｓ１４において、この時に再生リストＣが存在していなければ、何もせずにＳ１５へ進む。
続くＳ１５では、再生リストＡ内の最後方のコマ番号に連続する後方の１００コマ分の画像情報を再生リストＣに追加し、Ｓ３７へ進む。但し、Ｓ１５において、この時に、再生リストＣが存在していなければ、その１００コマ分の画像情報を有する再生リストＣを作成し、内蔵ＲＡＭ１３に記憶する。
【００３４】
一方、Ｓ１１の判定において、その判定結果がＮｏの場合には、続いて、コマ番号Ｘが再生リストＢ内に含まれるか否かを判定し（Ｓ１６）、その判定結果がＹｅｓの場合にはＳ１７へ進み、Ｎｏの場合にはＳ２１へ進む。
このＳ１６の判定において、その判定結果がＹｅｓの場合には、続いて、コマ番号Ｘが、再生リストＢ内の最前方のコマ番号から後方へ５０コマ分の中に含まれるか否かを判定し（Ｓ１７）、その判定結果がＹｅｓの場合にはＳ１８へ進み、Ｎｏの場合にはＳ３７へ進む。
【００３５】
このＳ１７の判定において、その判定結果がＹｅｓの場合には、続いて、再生リストＢ内の最前方のコマ番号と再生リストＣ内の最後方のコマ番号とが隣接（連続）しているか否かを判定し（Ｓ１８）、その判定結果がＹｅｓの場合にはＳ３７へ進み、Ｎｏの場合にはＳ１９へ進む。尚、Ｓ１８の判定において、当該判定時に再生リストＣが存在していなければ、Ｓ１８の判定結果はＮｏとなる。
【００３６】
このＳ１８の判定において、その判定結果がＮｏの場合には、再生リストＣに含まれる要素（画像情報）を全て削除し（Ｓ１９）、Ｓ２０へ進む。但し、Ｓ１９において、この時に再生リストＣが存在していなければ、何もせずにＳ２０へ進む。
続くＳ２０では、再生リストＢ内の最前方のコマ番号に連続する前方の１００コマ分の画像情報を再生リストＣに追加し、Ｓ３７へ進む。但し、Ｓ２０において、この時に再生リストＣが存在していなければ、その１００コマ分の画像情報を有する再生リストＣを作成し、内蔵ＲＡＭ１３に記憶する。
【００３７】
一方、Ｓ１６の判定において、その判定結果がＮｏの場合には、続いて、コマ番号Ｘが、再生リストＣ内の最前方のコマ番号から後方へ５０コマ分の中に含まれるか否かを判定し（Ｓ２１）、その判定結果がＹｅｓの場合には図４(a) のＳ２２へ進み、Ｎｏの場合にはＳ２９へ進む。
【００３８】
このＳ２１の判定において、その判定結果がＹｅｓの場合には、図４(a) に示すように、続いて、再生リストＡ内の最後方のコマ番号と再生リストＣ内の最前方のコマ番号とが隣接（連続）しているか否かを判定し（Ｓ２２）、その判定結果がＹｅｓの場合には図３(a) のＳ３７へ進み、Ｎｏの場合にはＳ２３へ進む。
【００３９】
このＳ２２の判定において、その判定結果がＮｏの場合には、続いて、再生リストＡ内の最後方のコマ番号と再生リストＣ内の最前方のコマ番号との間に存在するコマ番号の総数が１００より小さいか否かを判定し（Ｓ２３）、その判定結果がＹｅｓの場合には、その間にあるコマ番号の総数をｎに設定し（Ｓ２４）、その判定結果がＮｏの場合には、１００をｎに設定する（Ｓ２５）。続いて、再生リストＣ内の最前方のコマ番号に連続する前方のｎコマ分の画像情報を再生リストＣに追加する（Ｓ２６）。
【００４０】
続いて、再生リストＣに含まれるコマ番号の総数が３００より大きいか否かを判定し（Ｓ２７）、その判定結果がＹｅｓの場合には、再生リストＣ内の最後方のコマ番号から前方へｎコマ分の画像情報を再生リストＣから削除し（Ｓ２８）、その判定結果がＮｏの場合には、Ｓ２８をスキップし、図３(a) のＳ３７へ進む。
【００４１】
一方、図３(a) のＳ２１の判定において、その判定結果がＮｏの場合には、続いて、コマ番号Ｘが、再生リストＣ内の最後方のコマ番号から前方へ５０コマ分の中に含まれるか否かを判定し（Ｓ２９）、その判定結果がＹｅｓの場合には図４(ｂ) のＳ３０へ進み、Ｎｏの場合にはＳ３７へ進む。
【００４２】
このＳ２９の判定において、その判定結果がＹｅｓの場合には、図４(b) に示すように、続いて、再生リストＢ内の最前方のコマ番号と再生リストＣ内の最後方のコマ番号とが隣接（連続）しているか否かを判定し（Ｓ３０）、その判定結果がＹｅｓの場合には図３(a) のＳ３７へ進み、Ｎｏの場合にはＳ３１へ進む。
【００４３】
このＳ３０の判定において、その判定結果がＮｏの場合には、続いて、再生リストＢ内の最前方のコマ番号と再生リストＣ内の最後方のコマ番号との間に存在するコマ番号の総数が１００より小さいか否かを判定し（Ｓ３１）、その判定結果がＹｅｓの場合には、その間にあるコマ番号の総数をｎに設定し（Ｓ３２）、その判定結果がＮｏの場合には、１００をｎに設定する（Ｓ３３）。続いて、再生リストＣ内の最後方のコマ番号に連続する後方のｎコマ分の画像情報を再生リストＣに追加する（Ｓ３４）。
【００４４】
続いて、再生リストＣに含まれるコマ番号の総数が３００より大きいか否かを判定し（Ｓ３５）、その判定結果がＹｅｓの場合には、再生リストＣ内の最前方のコマ番号から後方へｎコマ分の画像情報を再生リストＣから削除し（Ｓ３６）、その判定結果がＮｏの場合には、Ｓ３６をスキップし、図３(a) のＳ３７へ進む。
【００４５】
そして、図３(a) において、Ｓ３７では、ユーザからの指示入力待ちを行う。ここで、十字ボタンの左ボタンの押下を検出したときには、Ｘ−１をＸに設定し（Ｓ３８）、続いて、Ｘが１より小さいか否かを判定し（Ｓ３９）、その判定結果がＹｅｓの場合には、ＮをＸに設定し（Ｓ４０）、Ｎｏの場合にはＳ４０をスキップし、Ｓ３に戻る。
【００４６】
一方、Ｓ３７において、十字ボタンの右ボタンの押下を検出したときには、Ｘ＋１をＸに設定し（Ｓ４１）、続いて、ＸがＮより大きいか否かを判定し（Ｓ４２）、その判定結果がＹｅｓの場合には、１をＸに設定し（Ｓ４３）、Ｎｏの場合にはＳ４３をスキップし、Ｓ３に戻る。
【００４７】
尚、本動作において、前述のＳ１５，Ｓ２０，Ｓ２６，Ｓ３４では、その処理中であっても十字ボタンの左ボタン及び右ボタンの押下を検出することができるようになっており、その押下を検出したときには、対応する画像を表示することができるようになっている。
【００４８】
図５は、前述のＳ１５，Ｓ２０，Ｓ２６，Ｓ３４の各処理に係るフローチャートを示す図である。
同図において、再生リストＣに追加する画像情報を、コマ番号ａ乃至ｂ（ｂ−ａ＋１コマ分）の画像情報とすると、まず、ａ（再生リストＣへ追加する最初のコマ番号）をｉに設定し（Ｓ４４）、コマ番号ｉの画像情報を再生リストＣに追加する（Ｓ４５）。
【００４９】
続いて、ｉ＝ｂ（再生リストＣへ追加する最後のコマ番号）であるか否かを判定し（Ｓ４６）、その判定結果がＹｅｓの場合には本フローを終了し、Ｎｏの場合にはｉ＋１をｉに設定する（Ｓ４７）。
続いて、ユーザからの指示入力の有無を検出し（Ｓ４８）、何も指示入力が検出されなければＳ４５へ戻る。
【００５０】
一方、Ｓ４８において、十字ボタンの左ボタンの押下が検出されたときには、前述のＳ３８乃至４０と同様の処理を行って（Ｓ４９乃至５１）、Ｓ５５へ進み、十字ボタンの右ボタンの押下が検出されたときには、前述のＳ４１乃至４３と同様の処理を行って（Ｓ５２乃至５４）、Ｓ５５へ進む。
【００５１】
続くＳ５５では、コマ番号Ｘが、再生リストＡ，Ｂ，Ｃの何れかに含まれるか否かを判定し、その判定結果がＹｅｓの場合には、再生リストからコマ番号Ｘの先頭クラスタ番号を取得し（Ｓ５６）、対応する画像ファイルを着脱メモリ９から読み出し、内蔵ＬＣＤ１２にその画像を表示する（Ｓ５７）。
【００５２】
一方、Ｓ５５の判定において、その判定結果がＮｏの場合には、コマ番号ｉ乃至ｂの画像情報を再生リストＣに追加し（Ｓ５８）、本フローを終了する。すなわち、再生リストＣへの追加が終わるまで、ユーザの入力を受け付けない。
このような処理により、再生リストＣへ画像情報を追加する処理中に十字ボタンの左右ボタンが押下され、かつ、この時のコマ番号Ｘが再生リストＡ，Ｂ，Ｃに含まれる場合にはコマ番号Ｘの画像が再生されるようになる。
【００５３】
尚、ここでは、再生リストＣへの画像情報の追加処理中に左右ボタンが押下されたときの処理を説明したが、Ｓ１５及びＳ２０において再生リストＣが存在しないときに行われる再生リストＣの作成処理中に左右ボタンが押下されたときも同様にして処理が行われる。
【００５４】
以上、本実施例によれば、画像ファイルが着脱メモリ９に追加記録されるごとに、その画像ファイルの画像情報を追加するとともに、追加分の画像情報を削除するようにしたので、常に、最新の画像ファイルに関するグループの画像ファイルのリストを作成することができる。
【００５５】
尚、本実施例では、再生リストＡ，Ｂ，Ｃを、画像ファイルが記録されている着脱メモリ９とは別の内蔵ＲＡＭ１３に記憶するようにしたものであるが、画像ファイルが記録されている着脱メモリ９に記録するようにすることも可能である。この場合には、当該電子カメラが起動中（電源ＯＮ中）は、少なくとも、再生リストＡ，Ｂ，Ｃが着脱メモリ９に記録保持されるものである。
【００５６】
また、当該電子カメラに複数のカードスロットを設け、複数の着脱メモリを同時に装着可能に構成し、一の着脱メモリに記録されている画像ファイルに係る再生リストＡ，Ｂ，Ｃを、他の着脱メモリに記録するようにすることも可能である。
また、当該電子カメラに、外部装置との間でデータの送受を可能にする通信Ｉ／Ｆを設け、当該通信Ｉ／Ｆを介して例えばパソコン等の外部装置から送信された画像ファイル（画像データ）を着脱メモリ９に記録した時に、前述のＳ５乃至６の処理を行うようにすることも可能である。すなわち、外部装置から送信された画像ファイルを着脱メモリに記録した時に、その画像ファイルの画像情報を、再生リストＢの最後方のコマ番号の後方に続くコマ番号の画像情報として追加し、再生リストＢの最前方のコマ番号の画像情報を削除するようにすることも可能である。
【００５７】
また、本実施例では、本発明に係る画像記録装置を電子カメラに適用したが、その他にも、記録媒体に記録された画像ファイルを再生可能な、例えばＰＤＡ，ＰＨＳ，携帯電話器等の装置に適用することも可能であり、また、記録媒体に記録された画像ファイルを再生する画像記録装置そのものに適用しても良いのは勿論のことである。
【００５８】
以上、本発明について詳細に説明したが、本発明は上記実施例に限定されず、本発明の要旨を逸脱しない範囲において、各種の改良及び変更を行っても良いのはもちろんである。
【図面の簡単な説明】
【００５９】
【図１】実施例１に係る電子カメラの主要構成を示す図である。
【図２】ＤＲＡＭに記憶される再生リストの一例を示す図である。
【図３】(a) は電子カメラの動作の一例に係るフローチャートを示す図、(b) は本動作で作成・追加・削除される再生リストのイメージ図である。
【図４】(a),(b) は、電子カメラの動作の一例に係るフローチャートを示す図である。
【図５】電子カメラの動作の一例に係るフローチャートを示す図である。
【図６】画像ファイルが一定のフォーマットに準拠した階層に従って記録媒体に記録されたときの一例を示す図である。
【図７】画像ファイルが記録されたメモリカードのデータ構造の一例を示す図である。
【符号の説明】
【００６０】
１      撮影レンズ系
２      撮像素子
３      撮像回路
４      Ａ／Ｄ部
５      シスコン
６      画像処理部
７      Ｉ／Ｆ
８      カードスロット
９      着脱メモリ
１０    ＶＲＡＭ
１１    ＬＣＤドライバ
１２    内蔵ＬＣＤ
１３    内蔵ＲＡＭ（ＤＲＡＭ）
１４    内蔵ＲＯＭ
１５    操作部
１６    再生リスト
【図１】
2005318351.tif 000003
【図２】
2005318351.tif 000004
【図３】
2005318351.tif 000005
【図４】
2005318351.tif 000006
【図５】
2005318351.tif 000007
【図６】
2005318351.tif 000008
【図７】
2005318351.tif 000009